(57)【要約】【課題】多数の収納部を有するファイルであって、しかも製造工程を簡略化できる構造のファイル及びその製造方法を提供する。【解決手段】表表紙１０と裏表紙１１とが互い向き合う内面間に、略台形状仕切を連設した仕切シート１４′を折り出した蛇腹状仕切１４がそれぞれ設けられ、かつ両蛇腹状仕切１４の山折り部の下方部を交互に組み合わせて、複数の収納部８を形成したファイルであり、製造工数を増すことなく、折り曲げ回数を増加させるのみで、多数の収納部８を形成することができる。【選択図】　　図１
2004017363.tif 000002
【特許請求の範囲】
【請求項１】
仕切を連設した仕切シートを折り出して蛇腹状仕切とし、表表紙と裏表紙との内側に該蛇腹状仕切を互いに向かい合わせて設け、該蛇腹状仕切の各仕切の先端部分を交互に組み合わせて収納部を形成したことを特徴とするファイル。
【請求項２】
前記仕切が略台形状仕切であり、前記収納部を該台形状仕切の下方部を互いに組み合わせて形成したことを特徴とする請求項１に記載のファイル。
【請求項３】
前記表表紙と前記裏表紙との間に設けた前記蛇腹状仕切を弾性支持部材により、該表表紙と該裏表紙とに支持したことを特徴とする請求項１又は２に記載のファイル。
【請求項４】
前記表表紙と前記裏表紙とのマチ部が伸縮する弾性部材であることを特徴とする請求項１，２又は３に記載のファイル。
【請求項５】
仕切を連設した仕切シートを打ち抜く工程と、
該仕切シートを各仕切に折り出して蛇腹状仕切を形成する折り出し工程と、
該折り出し工程で形成した第１と第２の蛇腹状仕切の仕切の山折り部側を交互に組み合わせ、かつ第１と第２の蛇腹状仕切のそれぞれの両端を該表表紙と該裏表紙とのそれぞれの内面側に固定する固着工程と、
該固着工程に続いて、第１と第２の蛇腹状仕切を該表表紙と該裏表紙とに弾性支持部材で支持する工程と、
を有することを特徴とするファイルの製造方法。
【請求項６】
前記仕切が略台形状仕切であることを特徴とする請求項５に記載のファイルの製造方法。
【請求項７】
前記固着工程が前記表表紙と裏表紙とにそれぞれ設けた折曲片に、前記第１と第２の蛇腹状仕切のそれぞれの端部を折り込んで固定したことを特徴とする請求項５又は６に記載のファイルの製造方法。
【請求項８】
前記固着工程が前記第１と第２の蛇腹状仕切の両端を前記表表紙と前記裏表紙との内面にそれぞれ固着したことを特徴とする請求項５又は６に記載のファイルの製造方法。
【発明の詳細な説明】
【０００１】
【発明の属する技術分野】
本発明は、書類，雑誌，コンパクトディスク等を収納するファイル及びその製造方法を関するものである。
【０００２】
【従来の技術】
従来、複数の収納部を有するファイルの一例としては、図９に示すドキュメントファイル（或いはエックスパンションファイル）がある。このドキュメントファイルは、図９（ａ）に示すように、書類を収納する複数の収納部を有するファイルであり、表表紙１と裏表紙２とをマチ部３で接続して裏表紙２にフラップ部４が設けられ、表表紙１と裏表紙２との間に樹脂フィルム等による複数の収納部５が設けられている。収納部５は、図９（ｂ）に示すように、両側に設けた蛇腹状の側壁シート６に仕切シート５ａの両端縁を接着又は溶着して形成されている。
【０００３】
【発明が解決しようとする課題】
しかし、従来のドキュメントファイルでは、収納部５を形成するのに仕切シート５ａを側壁シート６に接着して形成しており、収納部５の数を増やそうとすれば、仕切シート５ａの接着工数が増加して手間が掛かり過ぎる欠点があるとともに、製造工程が煩雑になり、製造コストが高騰する欠点があった。
【０００４】
また、収納部５は蛇腹状の側壁シート６に形成されており、書籍などの比較的重い物品を収納した場合、側壁シート６の両端が接着されているのみであるので、その物品による重量を支持することができないおそれがあり、比較的薄手の書類等の限定した用途のみに使用されていた。
【０００５】
本発明は、上述のような課題に鑑みなされたものであり、多数の収納部を有するファイルであって、しかも製造工程を簡略化できる構造のファイル及びその製造方法を提供することを目的とするものである。
【０００６】
【課題を解決するための手段】
本発明は、上記課題を達成したものであって、請求項１の発明は、仕切を連設した仕切シートを折り出して蛇腹状仕切とし、表表紙と裏表紙との内側に該蛇腹状仕切を互いに向かい合わせて設け、該蛇腹状仕切の各仕切の先端部分を交互に組み合わせて収納部を形成したことを特徴とするファイルである。
【０００７】
請求項１の発明では、表表紙と裏表紙との内側に、蛇腹状仕切が互いに向き合い、かつ互いに向かい合う蛇腹状仕切の各仕切の先端部分を交互に組み合わせて、複数の収納部を形成したファイルである。このファイルは、互いに向かい合う蛇腹状仕切のそれぞれの両端を、表表紙と裏表紙との内面側に固着したものであり、収納部は折り曲げ数を増やせば多くの収納部を容易に形成することができ、しかも接着や溶着の工数が増加することがなく、従来の製造工数よりも製造工数を削減することができる作用を有する。なお、蛇腹状仕切の材質は、物品に応じて最適な材質（紙、樹脂シート、或いは不織布又はこれらの複合材料等）を用いることができる。
【０００８】
また、請求項２の発明は、前記仕切が略台形状仕切であり、前記収納部を該台形状仕切の下方部を互いに組み合わせて形成したことを特徴とする請求項１に記載のファイルである。
【０００９】
請求項２の発明では、蛇腹状仕切を構成する各仕切が略台形状であり、収納部は、互いに向き合う蛇腹状仕切の各仕切の下方部（台形状仕切の長手底辺の部分）を交互に組み合わせることにより、収納部を形成することができる。蛇腹状仕切は、山折り部と谷折り部とからなり、互いに向かい合う谷折り部の間を収納部とし、谷折り部の数を増やせば容易に収納部を増やすことができる作用を有する。なお、この台形状仕切は、上部及び下部底辺に対して一辺が直交する台形であり、この辺が谷折り部に相当し、谷折り部に対向する山折り部は上部底辺から下り傾斜辺となっている。また、略台形状仕切とは、台形状仕切をベースとして、その傾斜辺等の辺に湾曲した切欠部や切込部等を設けたものを含み、上記収納部の仕切としての機能を有するものであればよい。
【００１０】
また、請求項３の発明は、前記表表紙と前記裏表紙との間に設けた前記蛇腹状仕切を弾性支持部材により、該表表紙と該裏表紙とに支持したことを特徴とする請求項１又は２に記載のファイルである。
【００１１】
請求項３の発明では、蛇腹状仕切を表表紙と裏表紙とを貫通する弾性支持部材で蛇腹状仕切を支持するとともに、収納部の物品を支持することができる。また、物品の重量に応じて弾性支持部材の材質を選択する。なお、弾性支持部材の固定は、表表紙と裏表紙とに結び目を設けて行ってもよいし、弾性支持部材のそれぞれの先端を折り返して、表表紙と裏表紙とのそれぞれの裏面で固定するようにしてもよい。また、蛇腹状仕切の材質は、物品が、例えばＣＤであればその表面に傷を付け難い材質として、ある程度剛性を有し、接触面が弾力のある感触を有する不織布等を用い、ＣＤを支持するために、弾性支持部材を蛇腹状仕切の底部中央に少なくとも一箇所設られる。
【００１２】
また、請求項４の発明は、前記表表紙と前記裏表紙とのマチ部が伸縮する弾性部材であることを特徴とする請求項１，２又は３に記載のファイルである。
【００１３】
請求項４の発明では、弾性部材がファイルのマチ部を伸縮する材質や蛇腹状マチとすることで、マチ部が許容する範囲で物品の厚さに応じて個々の収納部の幅を変えることができる。
【００１４】
また、請求項５は、仕切を連設した仕切シートを打ち抜く工程と、
該仕切シートを各仕切に折り出して蛇腹状仕切を形成する折り出し工程と、
該折り出し工程で形成した第１と第２の蛇腹状仕切の仕切の山折り部側を交互に組み合わせ、かつ第１と第２の蛇腹状仕切のそれぞれの両端を該表表紙と該裏表紙とのそれぞれの内面側に固定する固着工程と、
該固着工程に続いて、第１と第２の蛇腹状仕切を該表表紙と該裏表紙とに弾性支持部材で支持する工程と、
を有することを特徴とするファイルの製造方法である。
【００１５】
請求項５の発明では、打ち抜く工程で仕切シートを打ち抜き、折り出し工程で仕切シートから蛇腹状仕切を形成し、表表紙と裏表紙との間に、第１と第２の蛇腹状仕切の仕切の山折り部側を交互に組み合わせ、かつ第１と第２の蛇腹状仕切のそれぞれの両端を固着工程で表表紙と裏表紙との内面側に固定し、第１と第２の蛇腹状仕切を該表表紙と該裏表紙との内面側に弾性支持部材で支持して、ファイルを製造する製造方法であり、収納部を形成するための固着工程を簡略化することができる。なお、弾性支持部材は、限定するものではないが、合成ゴム等を利用したゴム状のものが好ましく、物品の重量やサイズに応じて弾性支持部材を１個以上設けてもよい。
【００１６】
また、請求項６の発明は、前記仕切が略台形状仕切であることを特徴とする請求項５に記載のファイルの製造方法である。
【００１７】
請求項６の発明では、蛇腹状仕切の各仕切を略台形状仕切とし、この台形状仕切は、平行な上部底辺と下部底辺と、これらの底辺に直交する辺と、下り傾斜辺とを有し、表表紙と裏表紙との間に、ファイルのマチ部側を下部底辺とし、直交する辺を表紙の両側に位置するようにして、互いに向かい合うように蛇腹状仕切を設ける。互いの台形状仕切の下り傾斜辺が交差するように交互に組み合わせることによって、容易に収納部を形成することができる。また、上記で説明したように、略台形状仕切とは、台形状仕切をベースとして、その傾斜辺等の辺に湾曲した切欠部や切込部等を設けたものを含み、上記収納部の仕切としての機能を有するものであればよい。
【００１８】
また、請求項７の発明は、前記固着工程が前記表表紙と裏表紙とにそれぞれ設けた折曲片に、前記第１と第２の蛇腹状仕切のそれぞれの端部を折り込んで固定したことを特徴とする請求項５又は６に記載のファイルの製造方法である。
【００１９】
請求項７の発明では、互いに向き合う第１と第２の蛇腹状仕切の端部を、表表紙の両側に張り出す折曲片と、裏表紙の両側に張り出す折曲片とでそれぞれ挟み、固定手段で固着して固定する。固着手段としては、収納部とファイルの材質に応じて、接着剤、溶着、カシメ等の手段によって各蛇腹状仕切を固着することができる。
【００２０】
また、請求項８の発明は、前記固着工程が前記第１と第２の蛇腹状仕切の両端を前記表表紙と前記裏表紙との内面にそれぞれ固着したことを特徴とする請求項５又は６に記載のファイルの製造方法である。
【００２１】
請求項８の発明では、第１と第２の蛇腹状仕切の両端を、表表紙と裏表紙の内面に直に固着したものであり、接着剤、溶着等の手段によって固着することができる。
【００２２】
【発明の実施の形態】
以下、本発明に係るファイルおよびその製造方法の実施の形態について、図面を参照して説明する。なお、図１（ａ）は本発明の一実施形態の正面図であり、図１（ｂ）はその側面図である。図２は本実施形態の斜視図である。図３は蛇腹状仕切の展開図である。図４（ａ）は本実施形態の要部上面図であり、図４（ｂ）はその側面図である。図５は、本発明の他の実施形態における表紙の展開図であり、図６は、その実施形態の蛇腹状仕切の展開図である。図７（ａ），（ｂ）はそれぞれ他の実施形態を示し、同図（ａ）は側面図、同図（ｂ）は正面図である。図８（ａ），（ｂ）は、本実施形態の一製造方法を示す説明図である。
【００２３】
先ず、本発明の一実施形態について、図１〜図４を参照して説明する。本実施形態のファイルは、多数の収納部を有する蛇腹状のファイルであって、表表紙１０と裏表紙１１との間に蛇腹状仕切１４が互いに向かい合うように設けられ、多数の収納部８が形成されされており、ＣＤ（コンパクトディスク）等の物品Ａを収納することができる。表表紙１０と裏表紙１１とはマチ部１２で接続され、裏表紙１１にフラップ部１３が設けられ、フラップ部１３の先端部にマジック帯等による嵌着部材１６が貼付され、フラップ部１３と表表紙１０との嵌着部材１６を嵌着させることで、表表紙１０と裏表紙１１とが閉じられる。蛇腹状仕切１４は、表表紙１０と裏表紙１１との間に互いに向かい合うように設けられ、それぞれの蛇腹状仕切１４の両端部が表表紙１０と裏表紙１１との内面にそれぞれ固着されて多数の収納部８が形成されている。
【００２４】
蛇腹状仕切１４は、図３の展開図に示すように、台形状仕切９を多数連設した仕切シート１４′から折り出されている。図３では８個の台形状仕切９が連設されているが、図２に示したファイルは、１０個の台形状仕切を多数連設した仕切シートで形成されている。図３の仕切シート１４′において、台形状仕切９を仕切る実線は山折り部Ｂであり、点線は谷折り部Ｃを示し、谷折り部Ｃの点線は、台形状仕切９の平行な下部底辺（長手底辺）と上部底辺とに直交している。蛇腹状仕切１４は折り出した状態では台形状である。また、必要に応じて山折り部Ｂと谷折り部Ｃに切り込みを設けて折り出しを容易なものとしてもよい。
【００２５】
蛇腹状仕切１４は、その山折り部Ｂ側を内側にし、谷折り部Ｃを外側に位置するようにし、かつ台形状に折り出した蛇腹状仕切１４の長手底辺側をマチ部１２側とし、その上部底辺を収納口側として、表表紙１０と裏表紙１１との間に設けられる。また、各台形状仕切９の下部には貫通孔１７が設けられ、表表紙１０と裏表紙１１との底部に設けた貫通孔２１と貫通孔１７とに弾性支持部材１５を挿通して、表表紙１０と裏表紙１１との間に蛇腹状仕切１４を支持する。
【００２６】
本実施形態のファイルは、図４（ａ），（ｂ）に示すように、表表紙１０と裏表紙１１との間に互いに向かい合うように蛇腹状仕切１４が設けられ、一方の蛇腹状仕切１４の山折り部Ｂ間に他方の蛇腹状仕切１４の山折り部Ｂが差し込まれるように組み合わされて、各蛇腹状仕切１４の互いに向かい合う谷折り部Ｃ間を、物品Ａが収納される収納部８としている。なお、図４のファイルでは、谷折り部Ｃが４個形成されて収納部８が４個形成されている。この場合、台形状仕切９を１０個連設した仕切シート１４′を使用する。なお、収納部８の数は、図２，図４に限定するものではない。
【００２７】
続いて、本実施形態のファイルの製造方法について説明する。本実施形態のファイルは、先ず、打ち抜き工程により、樹脂フィルムや不織布から台形状仕切９を連設した仕切シート１４′を打ち抜き、続いて折り曲げ工程を行って、仕切シート１４′を折り出して蛇腹状仕切１４を形成する。次いで、固着工程に進み、表表紙１０と裏表紙１１との間に第１と第２の蛇腹状仕切１４をそれぞれの山折り部Ｂを交互に組み合わせ、第１と第２の蛇腹状仕切１４のそれぞれの両端（仕切シート１４′の両端部９ａ，９ｂ）を表表紙１０と裏表紙１１とにそれぞれ固定する。この固着工程は、蛇腹状仕切１４を表表紙１０と裏表紙１１との間に組み込んだ後に手作業で行ってよい。続いて、支持工程に進み、弾性支持部材１５を、表表紙１０と第１と第２の蛇腹状仕切１４と裏表紙１１とに挿通して、蛇腹状仕切１４を支持する。このような製造工程を経てファイルが製造される。
【００２８】
次に、本発明の他の実施形態について、図５，図６を参照して説明する。なお、本実施形態の外観形状は、図２のファイルと同様の形状であり、上記実施形態との相違点は、表表紙１０の両側に張り出す折曲片１０ａ，１０ｂが設けられ、同様に裏表紙１１の両側にも折曲片１１ａ，１１ｂが設けられ、折曲片１０ａ，１０ｂ及び折曲片１１ａ，１１ｂをそれぞれ内側に折り曲げて、蛇腹状仕切１４の両端部（図６に示した台形仕切シート１４′の端部９ａ，９ｂ）を挟んで固定してファイルを形成する。
【００２９】
図６には、蛇腹状仕切１４の展開図を示し、この蛇腹状仕切１４は、図３に示した８個の台形状仕切９を連設した台形仕切シート１４′をつなぎ合わせたものであり、台形状仕切９が１６個形成された台形仕切シート１４′であり、７個の収納部が形成される。なお、蛇腹状仕切１４の谷折り部（山折り部）の個数を増やせば、収納部を容易に増やすることができる。
【００３０】
この実施形態では、表表紙１０と折曲片１０ａ，１０ｂ及び裏表紙１１と折曲片１１ａ，１１ｂに貫通孔２０，２１が形成され、蛇腹状仕切１４の端部９ａ，９ｂを折曲片（１０ａ，１０ｂ），（１１ａ，１１ｂ）で挟んだ後に、ピンを貫通孔２０に挿通して、ピンの端部をカシメて蛇腹状仕切１４の端部を固着する。また、貫通孔２１は、弾性支持部材を挿通する孔であり、弾性支持部材を貫通孔２１に挿通することで、表表紙１０と裏表紙１２とに蛇腹状仕切１４を支持することができる。なお、ピンを用いることなく接着剤で蛇腹状仕切１４の両端部９ａ，９ｂを固着してもよいことは明らかである。
【００３１】
続いて、図７を参照して、本発明の他の実施形態について説明する。図７（ａ）の実施形態のファイルは、表表紙１０と裏表紙１１とが弾性体によるマチ部１２′で接続され、表表紙１０と裏表紙１１との間に蛇腹状仕切１４が設けられて多数の収納部が形成されている。この実施形態では、マチ部１２′が弾性を有しているので、収納部に収納する物品の厚さが厚い場合であっても、蛇腹状仕切１４が横方向に広がる最大範囲まで拡張して、物品の厚さに対応することができる。また、マチ部１２′自体を蛇腹状とし、蛇腹状マチ部を蛇腹状仕切１４と組み合わせてもよい。
【００３２】
また、図７（ｂ）の実施形態のファィルは、上記実施形態と同様に表表紙１０と裏表紙１１との間に、互いに向き合う蛇腹状仕切１４が設けられ、蛇腹状仕切１４の下方部を交互に組み合わされて収納部が形成されている。表表紙１０と裏表紙１１と蛇腹状仕切１４とを貫通する貫通孔２１が二ヶ所設けられ、この貫通孔２１に弾性を有する弾性支持部材１５が挿通され、収納部に収納された物品Ａは弾性支持部材１５で支持される。この場合、物品Ａを二本の弾性支持部材１５で支持するので、必ずしもマチ部を形成する必要はない。また、物品Ａの厚さに応じて、弾性支持部材１５が伸縮し、物品Ａの底部を二本の弾性支持部材１５で支持するので雑誌等の収納も可能である。
【００３３】
続いて、図８を参照して、蛇腹状仕切１４の組み合わせ、及び蛇腹状仕切１４の固着工程の一例について説明する。先ず、仕切シートの打ち抜き工程と折り出し工程を行って、蛇腹状仕切１４を形成した後、蛇腹状仕切の組み合わせ工程に進む。この工程では、第１の蛇腹状仕切１４の各山折り部Ｂに、第１櫛状仕切り板１８の仕切り板１９を挿入し、第２蛇腹状仕切１４の各山折り部Ｂに、第２櫛状仕切り板１８の仕切り板１９を挿入する。続いて、第１櫛状仕切り板１８の仕切り板１９間に、第２櫛状仕切り板１８の仕切り板１９を挿入すると、第１と第２蛇腹状仕切１４が組み合わされる。続いて、第１と第２蛇腹状仕切１４の両端部を、表表紙１０と裏表紙１１との内面にそれぞれ接着し、第１と第２櫛状仕切り板１８を引き抜く。このような製造工程でファイルを製造してもよい。
【００３４】
なお、折り出した蛇腹状仕切１４は、各山折り部Ｂの間隔が均等に形成されるので、その隙間に櫛状仕切り板１８の仕切り板１９を容易に挿入することができる。また、櫛状仕切り板１８の仕切り板１９に、他方の櫛状仕切り板１８の仕切り板１９を咬み合わせることで、容易に蛇腹状仕切１４の山折り部Ｂ間に、他方の蛇腹状仕切１４の山折り部Ｂを挿入することができる。
【００３５】
また、表表紙１０，裏表紙１１，蛇腹状仕切１４の材質が樹脂である場合、櫛状仕切り板１８を溶着機の電極として、蛇腹状仕切１４の端部を表表紙１０，裏表紙１１にそれぞれ超音波等により溶着するようにしてもよい。無論、表表紙１０，裏表紙１１，蛇腹状仕切１４の材質は、紙や不織布であってもよいし、材質に応じて適宜な方法により固着すればよい。
【００３６】
上記実施形態において、表表紙と裏表紙の材質は、紙、樹脂シート等の何れであってもよいし、蛇腹状仕切も同様に、紙、樹脂シート、不織布等の何れであってもよいし、収納する物品に応じて選択してもよい。また、蛇腹状仕切には、その山折り部と谷折り部とに部分的に切り込みを設けて、折り曲げが確実になし得るようにしてもよいし、蛇腹状仕切を形成する仕切シートが樹脂の場合は、折曲部に熱を加えて折り目を形成するようにしてもよい。
【００３７】
また、本実施形態では、蛇腹状仕切の各仕切の形状を略台形状仕切としたが、収納部の仕切としての機能、すなわち向かい合う仕切を組み合わせて収納部を形成できる形状であればよいので、例えば、台形状仕切をベースとして、その傾斜辺等の辺に湾曲した切欠部や切込部等を設けたものであってもよいし、三角形状に近い形状であってもよく、これらの形状を全て略台形状仕切と称するものとする。さらに、蛇腹状仕切の各台形状仕切に、部分的に打ち抜いて模様を施したものであってもよい。
【００３８】
さらに、上記実施形態において、互いに向き合う蛇腹状仕切の色彩を異なったものとしたり、或いは収納部毎の蛇腹状仕切の色彩を異ならせることによって、隣接する収納部同士の色彩を異ならせるようにして、各収納部を明確にするようにしてもよい。
【００３９】
【発明の効果】
上記記載のように、本発明によれば、表表紙と裏表紙との間に、互いに向かい合う蛇腹状仕切が介装され、向かい合う蛇腹状仕切の各仕切を組み合わせて、多数の収納部を形成したものであり、蛇腹状仕切の両端部を表表紙と裏表紙とに固着することで多数の収納部を有するファイルを容易に形成することができるとともに、収納部の個数に関わりなく、蛇腹状仕切の両端部の２ヶ所、計４ヶ所を固着することによって、多数の収納部を有するファイルを形成することが可能であり、従来のドキュメントファイルの製造工数と比較して、製造工数を削減することができる利点がある。
【００４０】
また、本発明によれば、蛇腹状仕切が弾性支持部材により支持され、収納部の物品を支持するのに用いられ、物品を弾性支持部材で支持することが可能であり、雑誌等の収納に利用できる利点がある。また、物品の厚さが異なる場合であっても弾性支持部材の伸縮性を利用して物品を収納することができる利点がある。
【００４１】
また、本発明によれば、蛇腹状仕切の谷折り部を襷掛状に組み合わせて収納部が形成され、収納部に収納した物品が、収納部の上側部から見えるので取り出しも容易である。さらにまた、表表紙と裏表紙を開くことで、収納部の全ての収納口が開かれて、物品の収納と取り出しが容易である利点がある。
【００４２】
また、本発明によれば、蛇腹状仕切の各仕切の色彩を隣接する同士で異ならせて、各収納部を区別することで、物品の収納を容易とすることができる。
【図面の簡単な説明】
【図１】（ａ）は本発明の一実施形態を示す正面図、（ｂ）はその側面図である。
【図２】本実施形態の斜視図である。
【図３】本実施形態の蛇腹状仕切の展開図である。
【図４】（ａ）は本実施形態の要部上面図であり、（ｂ）はその側面図である。
【図５】本発明の他の実施形態の表紙の展開図である。
【図６】図５の実施形態における蛇腹状仕切の展開図である。
【図７】（ａ），（ｂ）は本発明のそれぞれ異なった実施形態を示し、（ａ）は側面図、（ｂ）は正面図である。
【図８】（ａ），（ｂ）は、本実施形態の一製造方法を示す説明図である。
【図９】（ａ）は従来のドキュメントファイルの斜視図、（ｂ）は要部斜視図である。
【符号の説明】
８　収納部
９　台形状仕切
１０　表表紙
１０ａ，１０ｂ　折曲片
１１　裏表紙
１１ａ，１１ｂ　折曲片
１２，１２′　マチ部
１３　フラップ部
１４　蛇腹状仕切
１４′　仕切シート
１５　弾性支持部材
１６　嵌着部材
１７　貫通孔
１８　櫛形仕切り板
１９　仕切り板
２０，２１　貫通孔
【図１】
2004017363.tif 000003
【図２】
2004017363.tif 000004
【図３】
2004017363.tif 000005
【図４】
2004017363.tif 000006
【図５】
2004017363.tif 000007
【図６】
2004017363.tif 000008
【図７】
2004017363.tif 000009
【図８】
2004017363.tif 000010
【図９】
2004017363.tif 000011